(57)【要約】【課題】光学ズームに伴うレンズモータ系のノイズの影響を軽減しながら、画質の劣化を抑止して画像を撮影する。【解決手段】ズームレンズ(11Ａ)を含む光学レンズユニット11と、光学レンズユニット11を介した光像の画像信号を出力する撮像素子12と、ズームレンズ(11Ａ)を高低２速度の一方で移動して撮像素子12に入射される光像をズームするレンズ用ＤＣモータ27及びレンズ駆動部23と、撮像素子12からの画像信号の読出し領域を変更してズームするイメージセンサ駆動部25、ＡＧＣ・Ａ／Ｄ変換部13及び画像処理部14と、高速でズームレンズ(11Ａ)を移動してズームする第１の制御処理と、低速でズームレンズ(11Ａ)を移動してズームし、且つ撮像素子12からの画像信号の読出し領域を変更し、総合的なズーム速度を第１の制御処理と同等に制御する第２の制御処理とを切換えるＣＰＵ19とを備える。【選択図】図１
2012039307.tif 000002
【特許請求の範囲】
【請求項１】
ズームレンズを含む光学レンズ系と、
上記光学レンズ系を介して入射した光像に応じた画像信号を出力する撮像素子と、
上記ズームレンズを少なくとも高低２つの速度のいずれかで移動させることにより上記撮像素子に入射される光像のズーム比率を変更する第１のズーム比率変更手段と、
上記撮像素子からの画像信号の読出し領域を変更することにより上記撮像素子で得られる画像信号のズーム比率を変更する第２のズーム比率変更手段と、
上記第１のズーム比率変更手段により高速でズームレンズを移動させてズーム比率を変更する第１の変更処理と、上記第１のズーム比率変更手段により低速でズームレンズを移動させてズーム比率を変更し、且つ上記第２のズーム比率変更手段により上記撮像素子からの画像信号の読出し領域を変更することにより、ズーム比率の変更速度を上記第１の制御処理のズーム比率の変更速度と同等になるように第２の変更処理とを切換える切換え手段と
を備えたことを特徴とする撮像装置。
【請求項２】
上記撮像装置周囲の環境音の音量を検出する検出手段と、
上記検出手段により検出した環境音の音量が予め設定したしきい値以上であるか否かを判別する判別手段と
をさらに備え、
上記切換え手段は、上記判別手段での判別結果に応じて上記第１の変更処理と第２の変更処理とを切換える
ことを特徴とする請求項１記載の撮像装置。
【請求項３】
上記切換え手段は、上記第１及び第２の変更処理の一方を実行中に上記判別手段での判別結果が反転した時点で他方の変更処理に切換えることを特徴とする請求項２記載の撮像装置。
【請求項４】
上記切換え手段は、動画像の撮影時に第１の変更処理から第２の変更処理への切換えを行なうことを特徴とする請求項１乃至３いずれか記載の撮像装置。
【請求項５】
ズームレンズを含む光学レンズ系、上記光学レンズ系を介して入射した光像に応じた画像信号を出力する撮像素子、上記ズームレンズを少なくとも高低２つの速度のいずれかで移動させて上記撮像素子に入射される光像のズーム比率を変更する第１のズーム比率変更部、及び上記撮像素子からの画像信号の読出し領域を変更することにより上記撮像素子で得られる画像信号のズーム比率を変更する第２のズーム比率変更部を備えた撮像装置での撮像方法であって、
上記第１のズーム比率変更部により高速でズームレンズを移動させることによりズーム比率を変更する第１の変更処理と、上記第１のズーム比率変更手段により低速でズームレンズを移動してズーム比率を変更し、且つ上記第２のズーム比率変更部により上記撮像素子からの画像信号の読出し領域を変更し、ズーム比率の変更速度を上記第１の変更処理のズーム比率の変更速度と同等になるように制御する第２の変更処理とを切換える切換えステップを含むことを特徴とする撮像方法。
【請求項６】
ズームレンズを含む光学レンズ系、上記光学レンズ系を介して入射した光像に応じた画像信号を出力する撮像素子、上記ズームレンズを少なくとも高低２つの速度のいずれかで移動して上記撮像素子に入射される光像のズーム比率を変更する第１のズーム比率変更手段、及び上記撮像素子からの画像信号の読出し領域を変更することにより上記撮像素子で得られる画像信号のズーム比率を変更する第２のズーム比率変更手段を備えたコンピュータを、
上記第１のズーム比率変更手段により高速でズームレンズを移動してズーム比率を変更する第１の変更処理と、上記第１のズーム比率変更手段により低速でズームレンズを移動してズーム比率を変更し、且つ上記第２のズーム比率変更手段により上記撮像素子からの画像信号の読出し領域を変更し、ズーム比率の変更速度を上記第１の変更処理のズーム比率の変更速度と同等になるように制御する第２の変更処理とを切換える切換え制御手段
として機能させることを特徴とするプログラム。
【発明の詳細な説明】
【技術分野】
【０００１】
本発明は、撮影画角のズーム機能を有し、音声付きの動画像の撮影を行なう撮像装置、撮像方法及びプログラムに関する。
【背景技術】
【０００２】
従来、動画撮影時のズーム中に記録される音声にレンズモータからのノイズが入るのを防止することができる電子カメラの技術が考えられている。（例えば、特許文献１）  
この特許文献に記載された技術では、ズーム操作をする際、まず光学系で焦点距離を変更する光学ズームを行なう前に、信号処理による画素補間／間引きを行なう電子ズームを先行して実行するものとしている。
【先行技術文献】
【特許文献】
【０００３】
【特許文献１】特開２００５−１７５９６０号公報
【発明の概要】
【発明が解決しようとする課題】
【０００４】
上記特許文献に記載された技術では、音声にレンズモータからのノイズが入るのを防止するために、光学ズームに優先して電子ズームを実行するものとしたため、ズーム中の画質の劣化が避けられないという不具合がある。
【０００５】
本発明は上記のような実情に鑑みてなされたもので、その目的とするところは、光学ズーム動作に伴うレンズモータからのノイズの録音への影響を軽減しながら、できる限り画質の劣化を抑止して画像を撮影することが可能な撮像装置、撮像方法及びプログラムを提供することにある。
【課題を解決するための手段】
【０００６】
請求項１記載の発明は、ズームレンズを含む光学レンズ系と、上記光学レンズ系を介して入射した光像に応じた画像信号を出力する撮像素子と、上記ズームレンズを少なくとも高低２つの速度のいずれかで移動させることにより上記撮像素子に入射される光像のズーム比率を変更する第１のズーム比率変更手段と、上記撮像素子からの画像信号の読出し領域を変更することにより上記撮像素子で得られる画像信号のズーム比率を変更する第２のズーム比率変更手段と、上記第１のズーム比率変更手段により高速でズームレンズを移動させてズーム比率を変更する第１の変更処理と、上記第１のズーム比率変更手段により低速でズームレンズを移動させてズーム比率を変更し、且つ上記第２のズーム比率変更手段により上記撮像素子からの画像信号の読出し領域を変更することにより、ズーム比率の変更速度を上記第１の制御処理のズーム比率の変更速度と同等になるように第２の変更処理とを切換える切換え手段とを備えたことを特徴とする。
【０００７】
請求項２記載の発明は、上記請求項１記載の発明において、上記撮像装置周囲の環境音の音量を検出する検出手段と、上記検出手段により検出した環境音の音量が予め設定したしきい値以上であるか否かを判別する判別手段とをさらに備え、上記切換え手段は、上記判別手段での判別結果に応じて上記第１の変更処理と第２の変更処理とを切換えることを特徴とする。
【０００８】
請求項３記載の発明は、上記請求項２記載の発明において、上記切換え手段は、上記第１及び第２の変更処理の一方を実行中に上記判別手段での判別結果が反転した時点で他方の変更処理に切換えることを特徴とする。
【０００９】
請求項４記載の発明は、上記請求項１乃至３いずれか記載の発明において、上記切換え手段は、動画像の撮影時に第１の変更処理から第２の変更処理への切換えを行なうことを特徴とする。
【００１０】
請求項５記載の発明は、ズームレンズを含む光学レンズ系、上記光学レンズ系を介して入射した光像に応じた画像信号を出力する撮像素子、上記ズームレンズを少なくとも高低２つの速度のいずれかで移動させて上記撮像素子に入射される光像のズーム比率を変更する第１のズーム比率変更部、及び上記撮像素子からの画像信号の読出し領域を変更することにより上記撮像素子で得られる画像信号のズーム比率を変更する第２のズーム比率変更部を備えた撮像装置での撮像方法であって、上記第１のズーム比率変更部により高速でズームレンズを移動させることによりズーム比率を変更する第１の変更処理と、上記第１のズーム比率変更手段により低速でズームレンズを移動してズーム比率を変更し、且つ上記第２のズーム比率変更部により上記撮像素子からの画像信号の読出し領域を変更し、ズーム比率の変更速度を上記第１の変更処理のズーム比率の変更速度と同等になるように制御する第２の変更処理とを切換える切換えステップを含むことを特徴とする。
【００１１】
請求項６記載の発明は、ズームレンズを含む光学レンズ系、上記光学レンズ系を介して入射した光像に応じた画像信号を出力する撮像素子、上記ズームレンズを少なくとも高低２つの速度のいずれかで移動して上記撮像素子に入射される光像のズーム比率を変更する第１のズーム比率変更手段、及び上記撮像素子からの画像信号の読出し領域を変更することにより上記撮像素子で得られる画像信号のズーム比率を変更する第２のズーム比率変更手段を備えたコンピュータを、上記第１のズーム比率変更手段により高速でズームレンズを移動してズーム比率を変更する第１の変更処理と、上記第１のズーム比率変更手段により低速でズームレンズを移動してズーム比率を変更し、且つ上記第２のズーム比率変更手段により上記撮像素子からの画像信号の読出し領域を変更し、ズーム比率の変更速度を上記第１の変更処理のズーム比率の変更速度と同等になるように制御する第２の変更処理とを切換える切換え制御手段として機能させることを特徴とする。
【発明の効果】
【００１２】
本発明によれば、光学ズーム動作に伴うレンズモータからのノイズの影響を軽減しながら、できる限り画質の劣化を抑止して画像を撮影することが可能となる。
【図面の簡単な説明】
【００１３】
【図１】本発明の一実施形態に係るデジタルカメラの機能回路の構成を示すブロック図。
【図２】同実施形態に係る光学レンズユニットのズームレンズを移動する円筒カム構造を説明する図。
【図３】同実施形態に係る動画像撮影モード時の主としてズーム機能に関する処理内容を示すフローチャート。
【図４】同実施形態に係る高速光学ズームによるズーム動作を説明する図。
【図５】同実施形態に係る低速光学ズームとデジタルズームの併用によるズーム動作を説明する図。
【発明を実施するための形態】
【００１４】
以下本発明を静止画像及び動画像を撮影するデジタルカメラに適用した場合の一実施形態について図面を参照して説明する。
【００１５】
図１は、本実施形態に係るデジタルカメラ１０の回路構成を示すものである。同図では、カメラ筐体の前面に配設される光学レンズユニット１１を介して、例えばＣＣＤ（Ｃｈａｒｇｅ  Ｃｏｕｐｌｅｄ  Ｄｅｖｉｃｅ：電荷結合素子）やＣＭＯＳイメージセンサ等で構成される固体撮像素子（ＩＳ）１２の撮像面上に被写体の光像を入射して結像させる。
【００１６】
スルー画像表示、あるいはライブビュー画像表示とも称されるモニタ状態では、この固体撮像素子１２での撮像により得た画像信号をＡＧＣ・Ａ／Ｄ変換部１３に送り、相関二乗サンプリングや自動ゲイン調整、Ａ／Ｄ変換処理を実行してデジタル化する。このデジタル値の画像データはシステムバスＳＢを介して画像処理部１４に送られる。
【００１７】
画像処理部１４では、画像データに対して画素補間処理、γ補正処理を含むカラープロセス処理を施して表示部１５へ送り、スルー画像として表示させる。
【００１８】
また、上記光学レンズユニット１１と同じくカメラ筐体前面には、一対のマイクロホン１６Ｌ，１６Ｒが配設され、被写体方向の音声がステレオで入力される。マイクロホン１６Ｌ，１６Ｒはそれぞれ入力した音声を電気信号化し、音声処理部１７へ出力する。
【００１９】
音声処理部１７は、音声単体での録音時、及び動画像の撮影時にマイクロホン１６Ｌ，１６Ｒから入力する音声信号をデジタルデータ化する。さらに音声処理部１７は、デジタル化した音声データの音圧レベルを検出する一方で、該音声データを所定のデータファイル形式、例えばＡＡＣ（ｍｏｖｉｎｇ  ｐｉｃｔｕｒｅ  ｅｘｐｅｒｔｓ  ｇｒｏｕｐ−４  Ａｄｖａｎｃｅｄ  Ａｕｄｉｏ  Ｃｏｄｉｎｇ）形式でデータ圧縮して音声データファイルを作成し、後述する記録媒体へ送出する。
【００２０】
加えて音声処理部１７は、ＰＣＭ音源等の音源回路を備え、音声の再生時に送られてくる音声データファイルの圧縮を解いてアナログ化し、このデジタルカメラ１０の筐体背面側に設けられるスピーカ１８を駆動して、拡声放音させる。
【００２１】
以上の回路をＣＰＵ１９が統括制御する。このＣＰＵ１９は、メインメモリ２０、プログラムメモリ２１と直接接続される。メインメモリ２０は、例えばＳＲＡＭで構成され、ワークメモリとして機能する。プログラムメモリ２１は、例えばフラッシュメモリなどの電気的に書換可能な不揮発性メモリで構成され、後述する撮影モード時の制御を含む動作プログラムやデータ等を固定的に記憶する。
【００２２】
ＣＰＵ１９はプログラムメモリ２１から必要なプログラムやデータ等を読出し、メインメモリ２０に適宜一時的に展開記憶させながら、このデジタルカメラ１０全体の制御動作を実行する。
【００２３】
さらに上記ＣＰＵ１９は、操作部２２から直接入力される各種キー操作信号に対応して制御動作を実行する。操作部２２は、例えば電源キー、シャッタキー（静止画像撮影キー）、動画像スタート／ストップキー、撮影モードキー、再生モードキー、メニューキー、カーソル（「↑」「→」「↓」「←」）キー、セットキー、プレイバックキー、ディスプレイキー等を備えると共に、ズームアップ／ダウンを指示するためのズームレバー２２ａを備える。
【００２４】
ＣＰＵ１９は、システムバスＳＢを介して上記ＡＧＣ・Ａ／Ｄ変換部１３、画像処理部１４、表示部１５、及び音声処理部１７の他、さらにレンズ駆動部２３、フラッシュ駆動部２４、イメージセンサ（ＩＳ）駆動部２５、及びメモリカードコントローラ２６と接続される。
【００２５】
レンズ駆動部２３は、ＣＰＵ１９からの制御信号を受けてレンズ用ＤＣモータ（Ｍ）２７の回転を制御し、上記光学レンズユニット１１を構成する複数のレンズ群中の一部、具体的にはズームレンズ及びフォーカスレンズの位置をそれぞれ個別に光軸方向に沿って移動させる。
【００２６】
フラッシュ駆動部２４は、静止画像撮影時にＣＰＵ１９からの制御信号を受けて複数の白色高輝度ＬＥＤで構成されるフラッシュ部２８を撮影タイミングに同期して点灯駆動する。
【００２７】
イメージセンサ駆動部２５は、その時点で設定されている撮影条件等に応じて上記固体撮像素子１２の走査駆動を行なう。
【００２８】
上記画像処理部１４は、上記操作部２２のシャッタキー操作に伴う画像撮影時に、ＡＧＣ・Ａ／Ｄ変換部１３から送られてきた画像データを所定のデータファイル形式、例えばＪＰＥＧ（Ｊｏｉｎｔ  Ｐｈｏｔｏｇｒａｐｈｉｃ  Ｅｘｐｅｒｔｓ  Ｇｒｏｕｐ）であればＤＣＴ（離散コサイン変換）やハフマン符号化等のデータ圧縮処理を施してデータ量を大幅に削減した画像データファイルを作成する。作成した画像データファイルはシステムバスＳＢ、メモリカードコントローラ２６を介してメモリカード２９に記録される。
【００２９】
また画像処理部１４は、再生モード時にメモリカード２９からメモリカードコントローラ２６を介して読出されてくる画像データをシステムバスＳＢを介して受取り、記録時とは逆の手順で圧縮を解く伸長処理により元のサイズの画像データを得、これをシステムバスＳＢを介して表示部１５に出力して表示させる。  
メモリカードコントローラ２６は、カードコネクタ３０を介してメモリカード２９と接続される。メモリカード２９は、このデジタルカメラ１０に着脱自在に装着され、このデジタルカメラ１０の記録媒体となる画像データ等の記録用メモリであり、内部にはブロック単位で電気的に書換え可能な不揮発性メモリであるフラッシュメモリと、その駆動回路とが設けられる。
【００３０】
動画撮影時には、撮影開始から撮影終了に至るまでの間、上記静止画像の撮影を所定のフレームレート、例えば３０［フレーム／秒］に従って時間的に連続して実行する。取得される連続した静止画像の画像データは、予め設定された動画像フォーマット、例えばＨ．２６４／ＡＶＣ（ＭＰＥＧ−４  Ｐａｒｔ１０／Ａｄｖａｎｃｅｄ  Ｖｉｄｅｏ  Ｃｏｄｉｎｇ）に従い、随時ＧＯＰ（Ｇｒｏｕｐ  Ｏｆ  Ｐｉｃｔｕｒｅｓ：１５フレーム程度の画像グループ）単位で前後の画像データ間の相関に応じたデータ圧縮が施された後にメモリカード２９に記録される。
【００３１】
次いで上記光学レンズユニット１１の一部とレンズ用ＤＣモータ２７の具体的な構造例についても説明する。  
図２は、上記光学レンズユニット１１の一部を構成するズームレンズ１１Ａとレンズ用ＤＣモータ２７の関係を示す図である。図２（Ａ）がズームレンズ１１Ａと後述する円筒カム機構３４の側面図、図２（Ｂ）が図２（Ａ）で示した部分にレンズ用ＤＣモータ２７との間の伝達機構を追加した平面図である。
【００３２】
レンズ用ＤＣモータ２７のモータ軸にウォームギア３１が取付けられる。このウォームギア３１は、ギア列３２の一部と歯合される。このギア列３２の他部が、リングギア３３と歯合される。
【００３３】
リングギア３３は、上記光学レンズユニット１１の一部を構成するズームレンズ１１Ａを含んだレンズ鏡筒１１Ｂを、そのレンズ光軸方向に沿って移動させるための円筒カム機構３４と一体にして構成される。
【００３４】
上記のような構成にあって、矢印Ａで示すレンズ用ＤＣモータ２７の回転は、ウォームギア３１により回転軸が９０°変換されてギア列３２に伝達される。このギア列３２とリングギア３３が図中に矢印Ｂで示すように同一平面で回転することで、リングギア３３と一体の円筒カム機構３４によりズームレンズ１１Ａ及びレンズ鏡筒１１Ｂが矢印Ｃで示す如くレンズ光軸の方向に移動する。
【００３５】
上記レンズ用ＤＣモータ２７とウォームギア３１、円筒カム機構３４、及びズームレンズ１１Ａの駆動構成自体は格段特徴的な構成を有するものではなく、きわめて一般的なものと同等である。本実施形態では、レンズ用ＤＣモータ２７を高低２速の一方の速度で回転駆動することにより、ズームレンズ１１Ａを高速で移動させて光学ズーム動作させる場合と、低速で移動させて光学ズーム動作させる場合とを同一のズームレバー２２ａ操作で状況により切換えるものとする。
【００３６】
次に上記実施形態の動作について説明する。  
なお、以下に示す動作は、撮影モード下で動画像スタート／ストップキーを操作して動画像の撮影を開始した際、ＣＰＵ１９がプログラムメモリ２１に記憶されている動作プログラムやデータを読出してメインメモリ２０に展開して記憶させた上で実行するものである。
【００３７】
プログラムメモリ２１に記憶されている動作プログラム等は、このデジタルカメラ１０の製造工場出荷時にプログラムメモリ２１に記憶されていたものに加え、例えばこのデジタルカメラ１０のバージョンアップに際して、デジタルカメラ１０をパーソナルコンピュータと接続することにより外部から新たな動作プログラム、データ等をダウンロードして記憶するものも含む。
【００３８】
図３は、動画像撮影モード時に操作部２２の動画像スタート／ストップキーが操作されてから、画像及び音声の取得及び記録と共に実行する、主としてズーム機能に関する処理内容を抽出して示すものである。  
その当初には、マイクロホン１６Ｌ，１６Ｒより取得している被写体方向の周囲の音量を検出しながら（ステップＳ１０１）、操作部２２のズームレバー２２ａが操作されたか否かを判断する（ステップＳ１０２）。
【００３９】
ズームレバー２２ａが操作されていないと判断した場合、上記ステップＳ１０１からの処理に戻り、以後ステップＳ１０１，Ｓ１０２の処理を繰返し実行することで、ズームレバー２２ａが操作されるのを待機する。
【００４０】
そして、ズームレバー２２ａが操作されると上記ステップＳ１０２でそれを判断し、直前のステップＳ１０１で検出した周囲の音量が、予め設定されたしきい値以上であるか否かを判断する（ステップＳ１０３）。
【００４１】
ここで検出した周囲の音量が予め設定されたしきい値以上であると判断した場合、周囲がある程度は騒がしく、光学レンズユニット１１のズームレンズ１１Ａをレンズ用ＤＣモータ２７により高速で移動させる「高速光学ズーム」を実行しても、レンズ用ＤＣモータ２７の駆動音が動画像と共に記録している音声中に入り込んで雑音となる虞が少ないものとし、高速光学ズームを実行してズームレバー２２ａの操作に応じて撮影画角を変化させ、撮影されている画像を拡大または縮小する（ステップＳ１０４）。
【００４２】
図４は、高速光学ズーム機能の実行例を示す。ここでは、光学レンズユニット１１が、ズームレンズ１１Ａを移動させることで焦点距離を３５ミリ判相当で最広角側２４［ｍｍ］から最望遠側２４０［ｍｍ］まで変化させることが可能な、所謂１０倍ズーム機能を有するものとする。
【００４３】
上記最短の焦点距離２４［ｍｍ］を１倍とした場合、図４（Ａ）に示すようにこの高速光学ズーム実行時には、レンズ用ＤＣモータ２７を高速で回転駆動してズームレンズ１１Ａのみを移動させる。
【００４４】
一方で、イメージセンサ駆動部２５による固体撮像素子１２の操作範囲を可変設定し、合わせて固体撮像素子１２から読出した画像データに対して画像処理部１４で補間あるいは間引き処理を行なう、画像処理による所謂デジタルズームは全く実行しない。
【００４５】
したがって、高速光学ズームによる焦点距離の変化がそのまま総合的なズーム倍率の変化となるもので、レンズ用ＤＣモータ２７を高速で回転させることによるノイズの影響が懸念される反面、画像処理による補間処理等を実行する必要がないため、基本的にその時点で設定されている画像サイズ（構成画素数）は変わらず、画質の劣化を生じることがない。
【００４６】
図４（Ｂ）は、上記同図（Ａ）で示した高速光学ズームによる焦点距離の変化特性を示すものであり、例えば最短２４［ｍｍ］から最長２４０［ｍｍ］まで変化させるのに要する時間が３．０［秒］であることを示している。
【００４７】
これに対して図４（Ｃ）は、画像処理によるデジタルズームの倍率を示しており、上述した如くズーム処理を行なわない「１．０倍」で終始変化しない。
【００４８】
結果として総合的なズーム倍率を図４（Ｄ）に示すように、上述した如く光学ズームによる焦点距離の変化がそのまま総合的なズーム倍率の変化となる。
【００４９】
こうして上記ステップＳ１０４での高速光学ズーム処理を行ないながら、さらに合わせてマイクロホン１６Ｌ，１６Ｒより被写体方向の周囲の音量を検出し、検出した周囲の音量が、予め設定されたしきい値未満に下がったか否かを判断する（ステップＳ１０５）。
【００５０】
ここで、検出した周囲の音量が予め設定されたしきい値未満に下がったと判断した場合にのみ、これまでの高速光学ズーム処理を、デジタルズームを伴う低速光学ズーム処理へと切換える（ステップＳ１０６）。このデジタルズームを伴う低速光学ズーム処理については後述する。
【００５１】
また、上記ステップＳ１０３で検出した周囲の音量が予め設定されたしきい値未満であると判断した場合、周囲が比較的に静かであり、光学レンズユニット１１のズームレンズ１１Ａをレンズ用ＤＣモータ２７により高速で移動させる「高速光学ズーム」を実行すると、レンズ用ＤＣモータ２７の駆動音が動画像と共に記録している音声中に入り込んで雑音となる虞が高いものとし、デジタルズームを伴う低速光学ズームを実行してズームレバー２２ａの操作に応じて撮影画角を変化させ、撮影されている画像を拡大または縮小する（ステップＳ１０７）。
【００５２】
図５は、デジタルズームを伴う低速光学ズーム機能の実行例を示す。光学レンズユニット１１が、ズームレンズ１１Ａを移動させることで焦点距離を３５ミリ判相当で最広角側２４［ｍｍ］から最望遠側２４０［ｍｍ］まで変化させることが可能であるものとする。
【００５３】
上記最短の焦点距離２４［ｍｍ］を１倍とした場合、図５（Ａ）に示すようにこのデジタルズームを伴う低速光学ズーム実行時には、レンズ用ＤＣモータ２７を低速で回転駆動してズームレンズ１１Ａを移動させる。
【００５４】
一方で、イメージセンサ駆動部２５による固体撮像素子１２の操作範囲を可変設定し、合わせて固体撮像素子１２から読出した画像データに対して画像処理部１４で補間あるいは間引き処理を行なう、画像処理による所謂デジタルズームを同時に実行する。
【００５５】
したがって、低速光学ズームによる焦点距離の変化とデジタルズームによる倍率とを掛け合わせた積が総合的なズーム倍率の変化となるもので、レンズ用ＤＣモータ２７を低速で回転させることによりノイズの影響を確実に回避できる。
【００５６】
図５（Ｂ）は、上記同図（Ａ）で示した低速光学ズームによる焦点距離の変化特性を示すものであり、例えば最短２４［ｍｍ］（１倍）から最長１３２［ｍｍ］（５．５倍）まで変化させるのに要する時間が３．０［秒］であることを示している。
【００５７】
これに対して図５（Ｃ）は、画像処理によるデジタルズームの倍率を示しており、上述した如く「１．０倍」から望遠側で最大「１．８倍」まで変化している。
【００５８】
結果として総合的なズーム倍率を図５（Ｄ）に示すように、低速光学ズームながら、デジタルズームを併用することで高速光学ズームと同等のズーム倍率の変化を実現できる。
【００５９】
こうして上記ステップＳ１０７でのデジタルズームを伴う低速光学ズーム処理を行ないながら、さらに合わせてマイクロホン１６Ｌ，１６Ｒより被写体方向の周囲の音量を検出し、検出した周囲の音量が、予め設定されたしきい値以上に上がったか否かを判断する（ステップＳ１０８）。
【００６０】
ここで、検出した周囲の音量が予め設定されたしきい値以上に上がったと判断した場合にのみ、これまでのデジタルズームを伴う低速光学ズーム処理を、デジタルズームを行なわない上記高速光学ズーム処理へと切換える（ステップＳ１０９）。
【００６１】
上記ステップＳ１０６でデジタルズームを伴う低速光学ズーム処理へと切換えた後、あるいは上記ステップＳ１０５で検出した周囲の音量が予め設定されたしきい値未満に下がってはいないと判断した後、あるいは上記ステップＳ１０９で高速光学ズーム処理へと切換えた後、あるいは上記ステップＳ１０８で検出した周囲の音量が予め設定されたしきい値以上に上がってはいないと判断した後に、操作部２２のズームレバー２２ａの操作が終了されたか否かを判断する（ステップＳ１１０）。
【００６２】
ここでズームレバー２２ａの操作が終了していないと判断すると、さらにその時点での光学レンズユニット１１のズームレンズ１１Ａの焦点距離位置が最望遠側あるいは最広角側の端部位置に達しており、それ以上のズーム処理が不可能であるか否かを判断する（ステップＳ１１１）。
【００６３】
ここで、ズームレンズ１１Ａの焦点距離位置が最望遠側あるいは最広角側の端部位置に達しており、それ以上のズーム処理が不可能であると判断した場合にのみ、上記高速ズーム処理、あるいはデジタルズームを伴う低速光学ズーム処理の制御を終了する（ステップＳ１１２）。
【００６４】
上記ステップＳ１１０でズームレバー２２ａの操作が終了されたと判断した場合、あるいは上記ステップＳ１１２でそれ以上のズーム処理が不可能であるとしてズーム処理の制御を終了した場合、あるいは上記ステップＳ１１１でズームレンズ１１Ａの焦点距離位置が最望遠側あるいは最広角側の端部位置に達しており、それ以上のズーム処理が不可能であると判断した場合に、次いで操作部２２の動画像スタート／ストップキーの操作により動画像の撮影を終了する指示がなされたか否かを判断する（ステップＳ１１３）。
【００６５】
ここで、まだ動画像スタート／ストップキーが操作されておらず、動画像の撮影を終了する指示がなされていないと判断すると、再び上記ステップＳ１０１からの処理に戻って、上記と同様の処理を続行する。
【００６６】
そして、上記ステップＳ１０１〜Ｓ１１３の処理を繰返し実行する過程で、操作部２２の動画像スタート／ストップキーが操作され、動画像の撮影を終了する指示がなされると、上記ステップＳ１１３でそれを判断し、以上で上記図３の処理を終了する。
【００６７】
以上詳記した如く本実施形態によれば、光学レンズユニット１１のズームレンズ１１Ａをレンズ用ＤＣモータ２７により駆動してズームさせる際、特に高いズーム速度が要求されている場合であっても、光学ズーム動作に伴うレンズモータからのノイズの影響を軽減しながら、できる限り画質の劣化を抑止して画像を撮影することが可能となる。
【００６８】
また上記実施形態では、画像撮影時に画像と共に取得する音声の音量レベルを検出し、その検出結果に応じてレンズ用ＤＣモータ２７を高速駆動する際のノイズが画像と共に記録する音声に入り込むことが懸念されるケースにのみ、デジタルズームを併用して高速光学ズームの動作を抑制するものとした。
【００６９】
したがって、周囲の音量レベルが比較的高く、レンズ用ＤＣモータ２７を高速駆動する際にノイズが生じたとしても画像と共に記録する音声に影響しないと判断される場合にはデジタルズームを使用せず、高速光学ズームを行なうものとしたので、デジタルズームによる画質の劣化を確実に排除できる。
【００７０】
さらに上記実施形態では、高速光学ズーム実行時と、デジタルズームを伴う低速光学ズーム実行時の双方において、ズーム途中でも音量レベルがそれまでの状態から反転した場には、それに合わせてズーム動作を切換えるものとしたので、状況の変化に的確に反応して最適なズーム動作を実現できる。
【００７１】
また上記実施形態は、画像に対応する音声を共に取得することが前提となる動画像撮影時に、高速光学ズームと、デジタルズームを伴う低速光学ズームとを切換えるものとしたので、音声のノイズと画質の劣化双方の影響を排除できる。
【００７２】
なお上記実施形態は静止画像及び動画像を選択して撮影するデジタルカメラに適用した場合について説明したものであるが、本発明はこれに限らず、カメラ機能を有する電子機器であれば、他にも携帯電話端末やＰＤＡ（Ｐｅｒｓｏｎａｌ  Ｄｉｇｉｔａｌ  Ａｓｓｉｓｔａｎｔｓ：個人向け情報携帯端末）、電子ブック、モバイルコンピュータなどの各種機器にも同様に適用可能となる。
【００７３】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００７４】
１０…デジタルカメラ、１１…光学レンズユニット、１１Ａ…ズームレンズ、１１Ｂ…レンズ鏡筒、１２…固体撮像素子、１３…ＡＧＣ・Ａ／Ｄ変換部、１４…画像処理部、１５…表示部、１６Ｌ，１６Ｒ…マイクロホン、１７…音声処理部、１８…スピーカ、１９…ＣＰＵ、２０…メインメモリ、２１…プログラムメモリ、２２…操作部、２２ａ…ズームレバー、２３…レンズ駆動部、２４…フラッシュ駆動部、２５…イメージセンサ駆動部、２６…メモリカードコントローラ、２７…レンズ用ＤＣモータ（Ｍ）、２８…フラッシュ部、２９…メモリカード、３０…カードコネクタ、３１…ウォームギア、３２…ギア列、３３…リングギア、３４…円筒カム機構、ＳＢ…システムバス。
【図１】
2012039307.tif 000003
【図２】
2012039307.tif 000004
【図３】
2012039307.tif 000005
【図４】
2012039307.tif 000006
【図５】
2012039307.tif 000007